(57)【要約】【課題】  ガイドポストの高さ調整を精密容易に行い磁気テープに対するガイドポストの位置ずれを円滑に修正すること。【解決手段】  ガイドポスト１５と、該ガイドポスト１５の下端から水平に延びる枝部２９と、そのガイドポスト１５の下側鍔部１５ｂの外周面上端から磁気テープｔの下を通って前方に延びるガイド台３０とが合成樹脂により一体形成され、枝部２９がシャーシ１上のキャプスタンの近傍に支軸１７回りで回動可能に配置した支持アーム１６の先端部に嵌合され、ガイド台３０の上面が下側鍔部１５ｂのガイド端面２１と面一状で先端に向かって斜め下向きに傾斜する傾斜ガイド面３０ａとされている。【選択図】        図２
0003111796.tif 000002
【実用新案登録請求の範囲】
【請求項１】
シャーシ上のキャプスタンの近傍に支軸回りで回動可能に配置した支持アームの先端部
に金属製ガイドポストが立設され、該ガイドポストの中央部に磁気テープに当接するポス
ト本体が形成されると共に、そのガイドポストの上下両端にポスト本体よりも大径の鍔部
が形成され、該各鍔部のポスト本体に対向する端面が磁気テープの端縁を支持するガイド
端面とされ、前記支持アームの基端部に形成した被係合部が回転カムに係合され、該回転
カムを回転駆動して前記支軸回りで支持アームを前後方向に回動させることによりガイド
ポストが磁気テープの横断方向に沿って移動可能に形成され、前記支持アームの高さを調
整するための高さ調整機構が設けられており、ガイドポストを磁気テープから離間させた
状態で、逆転再生モードまたは逆転早送りモードにして回転カムを回転駆動させ、支持ア
ームを前方に所定角度回動させることにより、ガイドポストのポスト本体を磁気テープに
当接させるようにした磁気テープ装置において、前記金属製ガイドポストに代えて合成樹
脂製ガイドポストが用いられ、該合成樹脂製ガイドポストに、下側鍔部の外周面上端から
磁気テープの下を通ってガイドポストの移動軌跡に沿って前方に延びるガイド台が一体形
成され、該ガイド台の上面が下側鍔部のガイド端面と面一状で先端に向かって斜め下向き
に傾斜する傾斜ガイド面とされ、そのガイド台の傾斜ガイド面と両側面との間の隅部外周
面が円弧状に形成され、前記ガイドポストにその下端から水平に延びる枝部が一体形成さ
れ、該枝部の端面に、支持アームの先端部を嵌入させるための嵌合凹部が形成されると共
に、その枝部の上面に略コ字状のスリットを形成することにより切り残した弾性片の下面
先端にフックが一体形成され、該フックに対向して支持アームの先端部にストッパ孔が貫
設されており、前記支持アームの先端部を枝部の嵌合凹部内に嵌入させ、フックをストッ
パ孔に嵌入させていることを特徴とする磁気テープ装置。
【請求項２】
シャーシ上のキャプスタンの近傍に支軸回りで回動可能に配置した支持アームの先端部
に金属製ガイドポストが立設され、該ガイドポストの中央部に磁気テープに当接するポス
ト本体が形成されると共に、そのガイドポストの上下両端にポスト本体よりも大径の鍔部
が形成され、該各鍔部のポスト本体に対向する端面が磁気テープの端縁を支持するガイド
端面とされ、前記支持アームの基端部に形成した被係合部が回転カムに係合され、該回転
カムを回転駆動して前記支軸回りで支持アームを前後方向に回動させることによりガイド
ポストが磁気テープの横断方向に沿って移動可能に形成され、前記支持アームの高さを調
整するための高さ調整機構が設けられており、ガイドポストを磁気テープから離間させた
状態で、逆転再生モードまたは逆転早送りモードにして回転カムを回転駆動させ、支持ア
ームを前方に所定角度回動させることにより、ガイドポストのポスト本体を磁気テープに
当接させるようにした磁気テープ装置において、前記下側鍔部に嵌合する合成樹脂製環状
体が設けられ、該環状体に、磁気テープの下を通ってガイドポストの移動軌跡に沿って前
方に延びるガイド台が一体形成され、該ガイド台の上面が下側鍔部のガイド端面と面一状
で先端に向かって斜め下向きに傾斜する傾斜ガイド面とされ、そのガイド台の傾斜ガイド
面と両側面との間の隅部外周面が円弧状に形成されていることを特徴とする磁気テープ装
置。
【請求項３】
シャーシ上のキャプスタンの近傍に支軸回りで回動可能に配置した支持アームの先端部
にガイドポストが立設され、該ガイドポストの中央部に磁気テープに当接するポスト本体
が形成されると共に、そのガイドポストの上下両端にポスト本体よりも大径の鍔部が形成
され、該各鍔部のポスト本体に対向する端面が磁気テープの端縁を支持するガイド端面と
され、前記支持アームの基端部に形成した被係合部が回転カムに係合され、該回転カムを
回転駆動して前記支軸回りで支持アームを前後方向に回動させることによりガイドポスト
が磁気テープの横断方向に沿って移動可能に形成され、前記支持アームの高さを調整する
ための高さ調整機構が設けられており、ガイドポストを磁気テープから離間させた状態で
、逆転再生モードまたは逆転早送りモードにして回転カムを回転駆動させ、支持アームを
前方に所定角度回動させることにより、ガイドポストのポスト本体を磁気テープに当接さ
せるようにした磁気テープ装置において、前記下側鍔部の外周面上端から磁気テープの下
を通ってガイドポストの移動軌跡に沿って前方に延びるガイド台が設けられ、該ガイド台
の上面が下側鍔部のガイド端面と面一状で先端に向かって斜め下向きに傾斜する傾斜ガイ
ド面とされていることを特徴とする磁気テープ装置。
【請求項４】
前記ガイド台とガイドポスト及び該ガイドポストの下端から水平に延びる枝部とが合成
樹脂により一体成形され、該枝部が支持アームの先端部に嵌合されていることを特徴とす
る請求項３に記載の磁気テープ装置。
【請求項５】
前記ガイド台の傾斜ガイド面と両側面との間の隅部外周面が円弧状に形成されているこ
とを特徴とする請求項４に記載の磁気テープ装置。
【請求項６】
前記枝部の端面に、支持アームの先端部を嵌入させるための嵌合凹部が形成されると共
に、該枝部の上面に略コ字状のスリットを形成することにより切り残した弾性片の下面先
端にフックが一体形成され、該フックに対向して支持アームの先端部にストッパ孔が貫設
されており、前記支持アームの先端部を枝部の嵌合凹部内に嵌入させ、フックをストッパ
孔に嵌入させるようにしたことを特徴とする請求項４または５に記載の磁気テープ装置。
【請求項７】
前記ポスト本体の磁気テープに当接する前部の外周面がガイドポストの軸心回りで平面
視半円形状に形成され、該ポスト本体の後部の後端面をガイドポストの移動軌跡とほぼ直
交する方向に沿って平坦状に形成すると共に、その後部の両側面をガイドポストの移動軌
跡とほぼ平行する方向に沿って平坦状に形成することにより、そのポスト本体の後部が平
面視略角形状に形成されていることを特徴とする請求項４〜６のいずれかに記載の磁気テ
ープ装置。
【請求項８】
前記下側鍔部に嵌合する合成樹脂製環状体が設けられ、該環状体に前記ガイド台が一体
形成されていることを特徴とする請求項３に記載の磁気テープ装置。
【考案の詳細な説明】
【技術分野】
【０００１】
本考案は、逆転再生モード及び逆転早送りモードで磁気テープにテンションを付与する
ガイドポストの高さ調整を精密容易に行い磁気テープに対するガイドポストの位置ずれを
円滑に修正することができるようにした磁気テープ装置に関する。
【背景技術】
【０００２】
従来、磁気テープ装置の技術として特許文献１などに記載したものがあり、その一例を
図１１に基づいて説明すると、これは、シャーシ１上に設けた供給リール台２及び巻取り
リール台３にテープカセットＴをセットし、該テープカセットＴから可動テープガイドポ
スト４により引き出した磁気テープｔをヘッドシリンダ５に巻き付けると共に、該磁気テ
ープｔを全幅消去ヘッド６、音声消去ヘッド７及び音声・コントロールヘッド８に接触さ
せ、キャプスタン９に磁気テープｔを介してピンチローラ１０を圧接させるようにしたも
のであって、再生モードや録画モードでは、正転用テンションポスト１１を磁気テープｔ
に押し付けて、該磁気テープｔにテンションを付与し、キャプスタン９及び巻取りリール
台３を正転ａさせることにより、磁気テープｔを巻取りリール台３側に巻き取る。なお、
１２は固定テープガイドポストである。
【０００３】
前記キャプスタン９の近傍に逆転用テープテンション機構１４が設けられており、これ
は、図１２及び図１３に示すように、金属製ガイドポスト１５を先端部に突設した金属板
製支持アーム１６を有し、該支持アーム１６の中央部に突設した支軸１７がシャーシ１に
固着した円筒状軸受１８に前後方向ｃ，ｄに回転可能に挿通されると共に、その支持アー
ム１６の基端部に形成した被係合部１６ａが回転カム１９のカム溝１９ａに係合され、支
持アーム１６をばね２０により後方ｄに付勢することによりガイドポスト１５がキャプス
タン９の近傍に位置決められている（図１２実線参照）。
【０００４】
前記ガイドポスト１５の中央部に磁気テープｔに当接するポスト本体１５ａが形成され
ると共に、そのガイドポスト１５の上下両端にポスト本体１５ａよりも大径の鍔部１５ｂ
，１５ｃが形成され、該各鍔部１５ｂ，１５ｃのポスト本体１５ａに対向する端面が磁気
テープｔの端縁を支持するガイド端面２１，２２とされている。なお、図１３中、２３は
下側鍔部１５ｂの下端に一体形成した大径の基台部である。
【０００５】
上記構成において、逆転再生モード及び逆転早送りモードでは、回転カム１９を回転さ
せて支軸１７回りで支持アーム１６を前方ｃに回動させ、ガイドポスト１５を図１２の実
線位置から仮想線位置に移動させて磁気テープｔに押し付けることにより、該磁気テープ
ｔにテンションを付与し、キャプスタン９及び供給リール台２を逆転ｂさせて、その磁気
テープｔを供給リール台２側に巻き取る。
【０００６】
図１２中、２４は、テープカセットＴをセットしたときに該テープカセットＴの蓋部（
図示せず）を開放するための合成樹脂製蓋開放部材２５に設けた高さ調整機構であって、
蓋開放部材２５から延びる弾性変位可能な延長片２５ａのねじ孔２６にねじ込まれたビス
２７を有し、該ビス２７の先端をシャーシ１の上面に押し付けて延長片２５ａを支持アー
ム１６の下面にばね２０に抗して押し付けることにより、該支持アーム１６の高さｈを調
整し、これによって、ガイドポスト１５を所定の高さ位置に保持し、該ガイドポスト１５
のポスト本体１５ａを磁気テープｔに対向させる。
【特許文献１】特開２００３−２２５９４号公報
【考案の開示】
【考案が解決しようとする課題】
【０００７】
上記従来の構成では、ガイドポスト１５の高さ調整を行う場合に、図１４（ａ）に示す
ように、作業員がドライバを使って手動操作でビス２７を正逆回転させることにより、目
視で磁気テープｔの下縁ｔ１に対して下側鍔部１５ｂのガイド端面２１をわずかに下方に
位置決めするわけであるが、その調整範囲が磁気テープｔの高さｈ（２０ｍｍ）に対して
±０．０２５ｍｍと非常に狭く（２０ｍｍ±０．０２５ｍｍ）、しかも、磁気テープｔの
下縁ｔ１に対して下側鍔部１５ｂのガイド端面２１が前後方向ｃ，ｄに比較的広く離れて
その離間間隔αが大きく、ガイドポスト１５がキャプスタン９の近くで見難いため、その
高さ調整に手間と時間とがかかって面倒であり、調整誤差が生じやすい。
【０００８】
また、調整誤差により磁気テープｔの下縁ｔ１に対して下側鍔部１５ｂのガイド端面２
１が高く位置ずれした場合には、逆転再生モード及び逆転早送りモードで、ガイドポスト
１５を前方ｃに移動させて磁気テープｔに当接させたときに、図１４（ｂ）に示すように
、磁気テープｔの下縁ｔ１が下側鍔部１５ｂの外周面に当たって強制的に弯曲され、該磁
気テープｔの走行により、その磁気テープｔの下縁ｔ１に亀裂が生じやすく、テープ切れ
の原因になる。
【０００９】
本考案は、上記従来の欠点に鑑み、ガイドポストの高さ調整を精密容易に行い磁気テー
プに対するガイドポストの位置ずれを円滑に修正することができるようにした磁気テープ
装置を提供することを目的としている。
【課題を解決するための手段】
【００１０】
上記目的を達成するため、請求項１に記載の考案は、シャーシ上のキャプスタンの近傍
に支軸回りで回動可能に配置した支持アームの先端部に金属製ガイドポストが立設され、
該ガイドポストの中央部に磁気テープに当接するポスト本体が形成されると共に、そのガ
イドポストの上下両端にポスト本体よりも大径の鍔部が形成され、該各鍔部のポスト本体
に対向する端面が磁気テープの端縁を支持するガイド端面とされ、前記支持アームの基端
部に形成した被係合部が回転カムに係合され、該回転カムを回転駆動して前記支軸回りで
支持アームを前後方向に回動させることによりガイドポストが磁気テープの横断方向に沿
って移動可能に形成され、前記支持アームの高さを調整するための高さ調整機構が設けら
れており、ガイドポストを磁気テープから離間させた状態で、逆転再生モードまたは逆転
早送りモードにして回転カムを回転駆動させ、支持アームを前方に所定角度回動させるこ
とにより、ガイドポストのポスト本体を磁気テープに当接させるようにした磁気テープ装
置において、前記金属製ガイドポストに代えて合成樹脂製ガイドポストが用いられ、該合
成樹脂製ガイドポストに、下側鍔部の外周面上端から磁気テープの下を通ってガイドポス
トの移動軌跡に沿って前方に延びるガイド台が一体形成され、該ガイド台の上面が下側鍔
部のガイド端面と面一状で先端に向かって斜め下向きに傾斜する傾斜ガイド面とされ、そ
のガイド台の傾斜ガイド面と両側面との間の隅部外周面が円弧状に形成され、前記ガイド
ポストにその下端から水平に延びる枝部が一体形成され、該枝部の端面に、支持アームの
先端部を嵌入させるための嵌合凹部が形成されると共に、その枝部の上面に略コ字状のス
リットを形成することにより切り残した弾性片の下面先端にフックが一体形成され、該フ
ックに対向して支持アームの先端部にストッパ孔が貫設されており、前記支持アームの先
端部を枝部の嵌合凹部内に嵌入させ、フックをストッパ孔に嵌入させていることを特徴と
している。
【００１１】
請求項２に記載の考案は、シャーシ上のキャプスタンの近傍に支軸回りで回動可能に配
置した支持アームの先端部に金属製ガイドポストが立設され、該ガイドポストの中央部に
磁気テープに当接するポスト本体が形成されると共に、そのガイドポストの上下両端にポ
スト本体よりも大径の鍔部が形成され、該各鍔部のポスト本体に対向する端面が磁気テー
プの端縁を支持するガイド端面とされ、前記支持アームの基端部に形成した被係合部が回
転カムに係合され、該回転カムを回転駆動して前記支軸回りで支持アームを前後方向に回
動させることによりガイドポストが磁気テープの横断方向に沿って移動可能に形成され、
前記支持アームの高さを調整するための高さ調整機構が設けられており、ガイドポストを
磁気テープから離間させた状態で、逆転再生モードまたは逆転早送りモードにして回転カ
ムを回転駆動させ、支持アームを前方に所定角度回動させることにより、ガイドポストの
ポスト本体を磁気テープに当接させるようにした磁気テープ装置において、前記下側鍔部
に嵌合する合成樹脂製環状体が設けられ、該環状体に、磁気テープの下を通ってガイドポ
ストの移動軌跡に沿って前方に延びるガイド台が一体形成され、該ガイド台の上面が下側
鍔部のガイド端面と面一状で先端に向かって斜め下向きに傾斜する傾斜ガイド面とされ、
そのガイド台の傾斜ガイド面と両側面との間の隅部外周面が円弧状に形成されていること
を特徴としている。
【００１２】
請求項３に記載の考案は、シャーシ上のキャプスタンの近傍に支軸回りで回動可能に配
置した支持アームの先端部にガイドポストが立設され、該ガイドポストの中央部に磁気テ
ープに当接するポスト本体が形成されると共に、そのガイドポストの上下両端にポスト本
体よりも大径の鍔部が形成され、該各鍔部のポスト本体に対向する端面が磁気テープの端
縁を支持するガイド端面とされ、前記支持アームの基端部に形成した被係合部が回転カム
に係合され、該回転カムを回転駆動して前記支軸回りで支持アームを前後方向に回動させ
ることによりガイドポストが磁気テープの横断方向に沿って移動可能に形成され、前記支
持アームの高さを調整するための高さ調整機構が設けられており、ガイドポストを磁気テ
ープから離間させた状態で、逆転再生モードまたは逆転早送りモードにして回転カムを回
転駆動させ、支持アームを前方に所定角度回動させることにより、ガイドポストのポスト
本体を磁気テープに当接させるようにした磁気テープ装置において、前記下側鍔部の外周
面上端から磁気テープの下を通ってガイドポストの移動軌跡に沿って前方に延びるガイド
台が設けられ、該ガイド台の上面が下側鍔部のガイド端面と面一状で先端に向かって斜め
下向きに傾斜する傾斜ガイド面とされていることを特徴としている。
【００１３】
請求項４に記載の考案は、請求項３に記載の考案において、前記ガイド台とガイドポス
ト及び該ガイドポストの下端から水平に延びる枝部とが合成樹脂により一体成形され、該
枝部が支持アームの先端部に嵌合されていることを特徴としている。
【００１４】
請求項５に記載の考案は、請求項４に記載の考案において、前記ガイド台の傾斜ガイド
面と両側面との間の隅部外周面が円弧状に形成されていることを特徴としている。
【００１５】
請求項６に記載の考案は、請求項４または５に記載の考案において、前記枝部の端面に
、支持アームの先端部を嵌入させるための嵌合凹部が形成されると共に、該枝部の上面に
略コ字状のスリットを形成することにより切り残した弾性片の下面先端にフックが一体形
成され、該フックに対向して支持アームの先端部にストッパ孔が貫設されており、前記支
持アームの先端部を枝部の嵌合凹部内に嵌入させ、フックをストッパ孔に嵌入させるよう
にしたことを特徴としている。
【００１６】
請求項７に記載の考案は、請求項４〜６のいずれかに記載の考案において、前記ポスト
本体の磁気テープに当接する前部の外周面がガイドポストの軸心回りで平面視半円形状に
形成され、該ポスト本体の後部の後端面をガイドポストの移動軌跡とほぼ直交する方向に
沿って平坦状に形成すると共に、その後部の両側面をガイドポストの移動軌跡とほぼ平行
する方向に沿って平坦状に形成することにより、そのポスト本体の後部が平面視略角形状
に形成されていることを特徴としている。
【００１７】
請求項８に記載の考案は、請求項３に記載の考案において、前記下側鍔部に嵌合する合
成樹脂製環状体が設けられ、該環状体に前記ガイド台が一体形成されていることを特徴と
している。
【考案の効果】
【００１８】
請求項１に記載の考案は、第１の実施の形態（図１〜図６参照）に対応するものであっ
て、これによれば、ガイドポストの下側鍔部の外周面上端から前方に延びるガイド台が磁
気テープの下を通っており、該ガイド台と磁気テープの下縁との間の間隔を目視で精密に
確認することができるので、その目視により確認した間隔を基準にして、磁気テープに対
するガイドポストの高さ調整を精密且つ容易に行うことができる。
【００１９】
また、例え調整誤差により磁気テープに対してガイドポストが上方に位置ずれしている
場合でも、逆転再生モード及び逆転早送りモードにしてガイドポストを前方に移動して磁
気テープに接近せたときに、ガイド台の傾斜ガイド面が磁気テープの下縁に接触されて、
その磁気テープを傾斜ガイド面に沿って下側鍔部のガイド端面まで誘導し、磁気テープに
対するガイドポストの位置ずれを円滑に修正するので、従来のように磁気テープの下縁が
下側鍔部の外周面に当たって強制的に弯曲されてテープ切れするということがなくなり、
磁気テープの寿命を大幅に延ばすことができる。
【００２０】
更に、ガイド台とガイドポスト及び該ガイドポストの下端から水平に延びる枝部とを合
成樹脂により安価に量産して大幅なコストダウンを図ることができる。
【００２１】
また更に、磁気テープをその下縁がガイド台の傾斜ガイド面に接触された状態で走行さ
せたときに、該ガイド台の傾斜ガイド面と両側面との間の隅部外周面が磁気テープの下縁
に当たるが、その隅部外周面を円弧状に形成しているので、磁気テープの下縁が損傷され
ることがなく、その磁気テープを円滑に走行させることができる。
【００２２】
しかも、支持アームの先端部をガイドポストの下端から水平に延びる枝部の嵌合凹部内
に嵌入させるだけで、枝部に切り残した弾性片のフックを支持アームのストッパ孔に嵌入
させて、その支持アームの先端部にガイドポストを強固に連結することができる。
【００２３】
請求項２に記載の考案は、第３の実施の形態（図８〜図１０参照）に対応するものであ
って、これによれば、請求項１に記載の考案と同様の効果を得ることができ、特に、ガイ
ド台付き環状体をガイドポストの下側鍔部に嵌合させるだけでよいから、既存の逆転用テ
ープテンション機構をそのまま使うことができ、使い勝手が良くて経済的である。
【００２４】
請求項３に記載の考案は基本形態に対応するものであって、これによれば、ガイドポス
トの下側鍔部の外周面上端から前方に延びるガイド台が磁気テープの下を通っており、該
ガイド台と磁気テープの下縁との間の間隔を目視で精密に確認することができるので、そ
の目視により確認した間隔を基準にして、磁気テープに対するガイドポストの高さ調整を
精密且つ容易に行うことができる。
【００２５】
また、例え調整誤差により磁気テープに対してガイドポストが上方に位置ずれしている
場合でも、逆転再生モード及び逆転早送りモードにしてガイドポストを前方に移動して磁
気テープに接近せたときに、ガイド台の傾斜ガイド面が磁気テープの下縁に接触されて、
その磁気テープを傾斜ガイド面に沿って下側鍔部のガイド端面まで誘導し、磁気テープに
対するガイドポストの位置ずれを円滑に修正するので、従来のように磁気テープの下縁が
下側鍔部の外周面に当たって強制的に弯曲されてテープ切れするということがなくなり、
磁気テープの寿命を大幅に延ばすことができる。
【００２６】
請求項４に記載の考案によれば、ガイド台とガイドポスト及び該ガイドポストの下端か
ら水平に延びる枝部とを合成樹脂により安価に量産して大幅なコストダウンを図ることが
できる。
【００２７】
請求項５に記載の考案によれば、磁気テープをその下縁がガイド台の傾斜ガイド面に接
触された状態で走行させたときに、該ガイド台の傾斜ガイド面と両側面との間の隅部外周
面が磁気テープの下縁に当たるが、その隅部外周面を円弧状に形成しているので、磁気テ
ープの下縁が損傷されることがなく、その磁気テープを円滑に走行させることができる。
【００２８】
請求項６に記載の考案によれば、支持アームの先端部をガイドポストの下端から水平に
延びる枝部の嵌合凹部内に嵌入させるだけで、枝部に切り残した弾性片のフックを支持ア
ームのストッパ孔に嵌入させて、その支持アームの先端部にガイドポストを強固に連結す
ることができる。
【００２９】
請求項７に記載の考案によれば、ポスト本体の後部が平面視略角形状に形成されて太く
なっており、強度が大きいから、そのポスト本体により磁気テープに対して所望通りのバ
ックテンションを確実にかけることができる。
【００３０】
請求項８に記載の考案によれば、ガイド台付き環状体をガイドポストの下側鍔部に嵌合
させるだけでよいから、既存の逆転用テープテンション機構をそのまま使うことができ、
使い勝手が良くて経済的である。
【考案を実施するための最良の形態】
【００３１】
図１〜図６は本考案の第１の実施の形態である磁気テープ装置を示すものであって、逆
転用テープテンション機構１４のガイドポスト１５と、該ガイドポスト１５のの下端から
水平に延びる枝部２９と、そのガイドポスト１５の下側鍔部１５ｂの上端から水平に延び
るガイド台３０とが合成樹脂により一体形成されており、その三者１５，２９，３０を合
成樹脂により安価に量産して大幅なコストダウンを図ることができる。上記以外の構成は
図１１〜図１３に示す構成とほぼ同じであるから、同一部分に同一符号を付してその説明
を省略する。
【００３２】
図６に示すように、枝部２９の端面に嵌合凹部３１が形成され、その嵌合凹部３１に合
わせて支持アーム１６の先端部１６ｂが細幅状に形成され、枝部２９の上面に略コ字状の
スリット３２を形成することにより切り残した弾性片３３の下面先端にフック３３ａが一
体形成され、該フック３３ａに対向して支持アーム１６の先端部１６ｂにストッパ孔３４
が貫設されており、支持アーム１６の先端部１６ｂを嵌合凹部３１内に嵌入させることに
より、弾性片３３を弾性変位させて上方に押し上げ、フック３３ａをストッパ孔３４に嵌
入させる。
【００３３】
上記構成によれば、支持アーム１６の先端部１６ｂを枝部２９の嵌合凹部３１内に嵌入
させるだけで、枝部２９に切り残した弾性片３３のフック３３ａを支持アーム１６のスト
ッパ孔３４に嵌入させて、その支持アーム１６の先端部１６ｂにガイドポスト１５を強固
に連結することができる。
【００３４】
図３及び図４に示すように、ガイド台３０が、下側鍔部１５ｂの外周面上端から磁気テ
ープｔの下を通ってガイドポスト１５の移動軌跡Ｓ（図１参照）に沿って前方に延ばされ
、該ガイド台３０の上面が下側鍔部１５ｂのガイド端面２１と面一状で先端に向かった斜
め下向きに傾斜する傾斜ガイド面３０ａとされている。
【００３５】
上記構成によれば、ガイド台３０が磁気テープｔの下を通っており、該ガイド台３０と
磁気テープｔの下縁ｔ１との間の間隔αを目視で精密に確認することができるので、その
目視により確認した間隔αを基準にして、磁気テープｔに対するガイドポスト１５の高さ
調整を精密且つ容易に行うことができる。
【００３６】
また、図５（ａ）に示すように、例え調整誤差により磁気テープｔに対してガイドポス
ト１５が上方に位置ずれしている場合でも、逆転再生モード及び逆転早送りモードにして
ガイドポスト１５を前方ｃに移動して磁気テープｔに接近せたときに、ガイド台３０の傾
斜ガイド面３０ａが磁気テープｔの下縁ｔ１に接触されて、その磁気テープｔを傾斜ガイ
ド面３０ａに沿って下側鍔部１５ｂのガイド端面２１まで誘導し、磁気テープｔに対する
ガイドポスト１５の位置ずれを円滑に修正するので、従来のように磁気テープｔの下縁ｔ
１が下側鍔部１５ｂの外周面に当たって強制的に弯曲されてテープ切れするということが
なくなり〔図１４（ｂ）参照〕、磁気テープｔの寿命を大幅に延ばすことができる。
【００３７】
図５（ｂ）に示すように、ガイド台３０の傾斜ガイド面３０ａと両側面３０ｂとの間の
隅部外周面３０ｃが所定の半径ｒで円弧状に形成されており、磁気テープｔをその下縁ｔ
１がガイド台３０の傾斜ガイド面３０ａに接触された状態で走行させたときに、該ガイド
台３０の隅部外周面３０ｃが磁気テープｔの下縁ｔ１に当たるが、その隅部外周面３０ｃ
を円弧状に形成しているので、磁気テープｔの下縁ｔ１が損傷されることがなく、その磁
気テープｔを円滑に走行させることができる。
【００３８】
図７は本考案の第２の実施の形態である磁気テープ装置の要部を示すものであって、ポ
スト本体１５ａの磁気テープｔに当接する前部３６の外周面３６ａがガイドポスト１５の
軸心Ｏを中心に所定の半径Ｒで平面視半円形状に形成され、該ポスト本体１５ａの後部３
７の後端面３７ａをガイドポスト１５の移動軌跡Ｓとほぼ直交する方向に沿って平坦状に
形成すると共に、その後部３７の両側面３７ｂをガイドポスト１５の移動軌跡Ｓとほぼ平
行する方向に沿って平坦状に形成することにより、そのガイドポスト１５の後部３７が平
面視略角形状に形成されている。上記以外の構成は第１の実施の形態（図１〜図６参照）
とほぼ同じであるから、同一部分に同一符号を付してその説明を省略する。
【００３９】
上記構成によれば、ポスト本体１５ａの後部３７が平面視略角形状に形成されて太くな
っており、強度が大きいから、そのポスト本体１５ａにより磁気テープｔに対して所望通
りのバックテンションを確実にかけることができる。
【００４０】
図８〜図１０は本考案の第３の実施の形態である磁気テープ装置を示すものであって、
図１２及び図１３に示す逆転用テープテンション機構１４の金属製ガイドポスト１５の下
側鍔部１５ｂに嵌合して基台部２３上に載置される一つ割り筒状の合成樹脂製環状体３９
が設けられ、該環状体３９にガイド台３０が一体形成されている。なお、接着材やビスな
どの止着具で環状体３９を下側鍔部１５ｂに固定することが一層好ましい。上記以外の構
成は第１の実施の形態（図１〜図６参照）に示す構成とほぼ同じであるから、同一部分に
同一符号を付してその説明を省略する。
【００４１】
上記構成によれば、第１の実施の形態（図１〜図６参照）と同様の効果を得ることがで
き、特に、ガイド台３０付き環状体３９をガイドポスト１５の下側鍔部１５ｂに嵌合させ
るだけでよいから、既存の逆転用テープテンション機構１４（図１２及び図１３参照）を
そのまま使うことができ、使い勝手が良くて経済的である。
【図面の簡単な説明】
【００４２】
【図１】本考案の第１の実施の形態である磁気テープ装置の逆転用テープテンション機構を示す平面図である。
【図２】図１のＡ−Ａ矢視図である。
【図３】同要部の斜視図である。
【図４】同要部の側面図である。
【図５】（ａ）はガイドポストの位置ずれ修正状態を示す側面図、（ｂ）はＢ−Ｂ矢視図である。
【図６】（ａ）は支持アームと枝部との嵌合状態を示す分解斜視図、（ｂ）は同縦断面図、（ｃ）は同平面図である。
【図７】（ａ）は本考案の第２の実施の形態を示す要部の斜視図、（ｂ）はＣ−Ｃ矢視図である。
【図８】本考案の第３の実施の形態を示す縦断面図である。
【図９】（ａ）は同要部の斜視図、（ｂ）はＤ−Ｄ矢視図である。
【図１０】同要部の分解斜視図である。
【図１１】従来の磁気テープ装置の概略平面図である。
【図１２】同装置の逆転用テープテンション機構を示す平面図である。
【図１３】図１２のＥ−Ｅ矢視図である。
【図１４】（ａ）は同要部の側面図、（ｂ）はガイドポストの位置ずれ状態を示す側面図である。
【符号の説明】
【００４３】
１        シャーシ
９        キャプスタン
１５      ガイドポスト
１５ａ    ポスト本体
１５ｂ    下側鍔部
１５ｃ    上側鍔部
１６      支持アーム
１６ａ    支持アームの被係合部
１６ｂ    支持アームの先端部
１７      支軸
１９      回転カム
２１      下側鍔部のガイド端面
２２      上側鍔部のガイド端面
２４      高さ調整機構
２９      枝部
３０      ガイド台
３０ａ    ガイド台の傾斜ガイド面
３１      嵌合凹部
３２      スリット
３３      弾性片
３３ａ    フック
３４      ストッパ孔
３６      ポスト本体の前部
３７      ポスト本体の後部
３９      環状体
ｔ        磁気テープ
Ｓ        ガイドポストの移動軌跡
α        ガイド台と磁気テープの下縁との間の間隔
【図１】
0003111796.tif 000003
【図２】
0003111796.tif 000004
【図３】
0003111796.tif 000005
【図４】
0003111796.tif 000006
【図５】
0003111796.tif 000007
【図６】
0003111796.tif 000008
【図７】
0003111796.tif 000009
【図８】
0003111796.tif 000010
【図９】
0003111796.tif 000011
【図１０】
0003111796.tif 000012
【図１１】
0003111796.tif 000013
【図１２】
0003111796.tif 000014
【図１３】
0003111796.tif 000015
【図１４】
0003111796.tif 000016